(57)【要約】    【課題】      設置するＭＡＰの数を増加させることなく、ＭＡＰ間のハードオーバー時の遅延を大幅に低減可能すること。    【解決手段】  ＭＡＰ１０１は、ＡＲ１１１〜ＡＲ１１８にルータ広告を発行する。特に、ＭＡＰ１０１は、ＭＡＰ毎のエリアの境界に位置するセルのＡＲ１１８に対してＨＡに登録するための気付けアドレス（ＲＣＯＡ）のもととなるルータ広告を複数割り当てる。ＭＮ１０７は、ＡＲ１１９〜ＡＲ１２６のうち通信相手のＡＲから送信されたルータ広告を受信し、このルータ広告から気付けアドレスＲＣＯＡとＬＣＯＡを生成する。ＡＲ１１１〜１１８は、ＭＡＰ１０１が生成したルータ広告ＲＡを通信中のＭＮ（例えばＭＮ１０７）に送信する。また、ＡＲ１１１〜１１８は、ＭＮ１０７から発行された気付けアドレスＲＣＯＡとＬＣＯＡをＭＡＰ１０１に送信する。  【選択図】      図１
2005167388.tif 000002
【特許請求の範囲】
【請求項１】
複数のアクセスルータと接続し、前記アクセスルータと通信を行う通信端末装置に気付けアドレスを発行するモバイルアンカーポイントと、
前記通信端末装置と通信を行い、前記気付けアドレスを前記通信端末装置に送信するアクセスルータと、
モバイルアンカーポイントとアクセルルータとを接続し、前記通信端末装置の属するホームエージェントに前記気付けアドレスを伝送するネットワークと、
通信端末装置別に気付けアドレスとホームアドレスとを対応づけて記憶し、通信端末装置宛のホームアドレス宛で送信されたデータを気付けアドレスが示す宛先に送信するホームエージェントと、を具備し、
前記モバイルアンカーポイントは、自局が属さないモバイルアンカーポイントのセルに隣接するセルのアクセルルータが通信する通信端末装置に対して前記アクセスルータのセルと隣接するセルとに有効な気付けアドレスとを発行することを特徴とする通信システム。
【請求項２】
前記モバイルアンカーポイントは、複数のセルに可変で、アクセスルータのセルと隣接するセルとに有効な気付けアドレスとを発行することを特徴とする請求項１に記載の通信システム。
【請求項３】
前記モバイルアンカーポイントは、前記モバイルアンカーポイントの境界に位置するセルに対して割当てるもう１つの気付アドレスが有効なセルの数を可変とすることを特徴とする請求項１記載の通信システム。
【請求項４】
前記モバイルアンカーポイントは、通信端末装置の移動速度を検知し、移動速度が速い通信端末装置と通信をする場合に、移動速度が遅い通信端末装置と通信をする場合より多い数のセルにもう１つの気付けアドレスを発行することを特徴とする請求項３に記載の通信システム。
【請求項５】
複数のアクセスルータと接続し、前記アクセスルータと通信を行う通信端末装置に気付けアドレスを発行するモバイルアンカーポイントと、
前記通信端末装置と通信を行い、前記気付けアドレスを前記通信端末装置に送信するアクセスルータと、
モバイルアンカーポイントとアクセルルータとを接続し、前記通信端末装置の属するホームエージェントに前記気付けアドレスを伝送するネットワークと、
通信端末装置別に気付けアドレスとホームアドレスとを対応づけて記憶し、通信端末装置宛のホームアドレス宛で送信されたデータを気付けアドレスが示す宛先に送信するホームエージェントと、を具備する通信システムにおいて、
自局が属さないモバイルアンカーポイントのセルに隣接するセルのアクセルルータが通信する通信端末装置に対して前記アクセスルータのセルと隣接するセルとに有効な気付けアドレスとを発行することを特徴とする通信方法。
【請求項６】
複数のセルに可変で、アクセスルータのセルと隣接するセルとに有効な気付けアドレスとを発行することを特徴とする請求項５に記載の通信方法。
【請求項７】
前記モバイルアンカーポイントの境界に位置するセルに対して割当てるもう１つの気付アドレスが有効なセルの数を可変とすることを特徴とする請求項５記載の通信方法。
【請求項８】
通信端末装置の移動速度を検知し、移動速度が速い通信端末装置と通信をする場合に、移動速度が遅い通信端末装置と通信をする場合より多い数のセルにもう１つの気付けアドレスを発行することを特徴とする請求項７に記載の通信方法。
【発明の詳細な説明】
【技術分野】
【０００１】
本発明は、通信プロトコルとしてモバイルＩＰを用い、さらにＭｏｂｉｌｉｔｙ  Ａｎｃｈｏｒ  Ｐｏｉｎｔを用いた場合の、通信システム及び方法に関する。
【背景技術】
【０００２】
最近、移動通信において非特許文献１に示されているように、モバイルＩＰが盛んに検討されている。
【０００３】
モバイルＩＰ（Internet Protocol）は、自動的に端末のネットワーク間の移動を検出し、移動後のネットワークにおいても、移動前のネットワークと同様に通信を行えるようにするプロトコルである。このモバイルＩＰは、ＩＰレベルでの移動を補償するため、利用するアプリケーションやレイヤ２以下の技術に依存しないという特徴がある。
【０００４】
以下、モバイルＩＰの概略動作を説明する。図４は、モバイルＩＰの概略を示す図である。
【０００５】
モバイルＩＰｖ６には、ＦＡ(Foreign Agent)は不要である。このため最近は、モバイルＩＰｖ６を用いることが盛んに検討されている。
【０００６】
各端末には、ホームアドレスの他に、気付アドレスを割当てる。各端末は、他のセルへ移動した場合、前記気付アドレスをホームエージェントに登録する必要がある。気付アドレスの登録は、以下の手順で行う。
１．端末が他のセルへ移動。
２．アクセスルータが送信するルータ広告を、端末は受信する。
３．ルータ広告より、気付アドレスを生成する。
４．端末は、気付アドレスをホームエージェントに登録する。
【０００７】
ここで、複数のアクセスルータ（以下ＡＲと呼ぶ）の上位にＭｏｂｉｌｉｔｙ  Ａｎｃｈｏｒ  Ｐｏｉｎｔ（以下ＭＡＰと呼ぶ）を設置し、階層的に気付アドレス登録を行うことにより、高速ハンドオーバー、Ｈｏｍｅ  Ａｇｅｎｔ（以下ＨＡと呼ぶ）の負荷軽減を図る方法もある。図５は、ＭＡＰを使用したモバイルＩＰネットワークの構成を示す図である。
【０００８】
Ｍｏｂｉｌｅ  Ｎｏｄｅ（以下ＭＮと呼ぶ）は、ＨＡとは別にＭＡＰに対しても気付アドレスを登録する必要がある。ＭＮは、ＡＲから送られてくるＲｏｕｔｅｒ  Ａｄｖｅｒｔｉｓｅｍｅｎｔ（以下ＲＡと呼ぶ）からＭＡＰ及びＡＲのＰｒｅｆｉｘを検出し、自分のＩｎｔｅｒｆａｃｅ  Ｉｄｅｎｔｉｆｉｅｒとで、Ｒｅｇｉｏｎａｌ  Ｃａｒｅ‐ｏｆ  Ａｄｄｒｅｓｓ（以下ＲＣＯＡと呼ぶ）とＯｎ−ｌｉｎｋ  Ｃａｒｅ‐ｏｆ  Ａｄｄｒｅｓｓ（以下ＬＣＯＡと呼ぶ）の２つの気付アドレスを生成する。ＨＡに登録するのはＲＣＯＡのみとなり、ＨＡへの登録回数が大きく削減できる。ＡＲ間を移動の際、ＬＣＯＡの変更は必要となるが、ＭＡＰへの登録のみ必要となる。ＭＡＰはＨＡに比べて近傍にあるため、登録時間は短くて済み、高速ハンドオーバーが可能となる。
【０００９】
上記動作を、図６に示す。図６は、従来のネットワークの動作の一例を示すフロー図である。
【００１０】
ＳＴ１１では、初期設定を行う。ＳＴ１２では、端末がＭＡＰ間を移動したかどうか判断する。端末がＭＡＰ間を移動した場合、ＳＴ１３に処理を進める。また、端末がＭＡＰ間を移動していない場合、ＳＴ１４に処理を進める。ＳＴ１３では、気付アドレスＲＣＯＡをＨＡに登録する。ＳＴ１４では、ＭＡＰにＬＣＯＡを登録してＳＴ１２に処理を戻す。ここで、モバイルＩＰの各用語一覧を表１に示す。
【表１】
2005167388.tif 000003
【００１１】
しかし、上記ＭＡＰを用いた構成においては、ＭＡＰ間のハンドオーバー時はＭＡＰとＨＡの両方にそれぞれ気付アドレスを登録する必要がある。このため、ＭＡＰ間のハンドオーバー時の遅延時間の低減が課題である。
【００１２】
上記課題を解決するため、非特許文献２では、ＭＡＰ間のハンドオーバー時の遅延時間の低減を図るため、ＭＡＰを階層的に設置する方法が検討されている。
【００１３】
しかし上記方法では、設置するＭＡＰの数が非常に多く必要になるという新たな問題が生じる。
【非特許文献１】Ｃｈａｒｌｅｓ  Ｅ．  Ｐｅｒｋｉｎｓ，  ”ＭＯＢＩＬＥ  ＩＰ”，  ＩＥＩＣＥ  Ｃｏｍｍｕｎｉｃａｔｉｏｎｓ  Ｍａｇａｚｉｎｅ．，  ＭＡＹＬ  ２００２．
【非特許文献２】河野他，”多階層分散型ＩＰモビリティ制御方式のための端末移動特性類推手法に関する検討，ＣＱ２００２−７７．
【発明の開示】
【発明が解決しようとする課題】
【００１４】
このように、従来の装置においては、ＭＡＰ間のハンドオーバー時の遅延時間が大きくなるという問題がある。また、ＭＡＰ間のハンドオーバー時の遅延時間の低減を図るためにＭＡＰを階層的に設置した場合、ＭＡＰの数が非常に多く必要になるというという問題がある。
【００１５】
本発明はかかる点に鑑みてなされたものであり、設置するＭＡＰの数を増加させることなく、ＭＡＰ間のハードオーバー時の遅延を大幅に低減可能することのできる通信システム及び方法を提供することを目的とする。
【課題を解決するための手段】
【００１６】
本発明の通信システムは、複数のアクセスルータと接続し、前記アクセスルータと通信を行う通信端末装置に気付けアドレスを発行するモバイルアンカーポイントと、前記通信端末装置と通信を行い、前記気付けアドレスを前記通信端末装置に送信するアクセスルータと、モバイルアンカーポイントとアクセルルータとを接続し、前記通信端末装置の属するホームエージェントに前記気付けアドレスを伝送するネットワークと、通信端末装置別に気付けアドレスとホームアドレスとを対応づけて記憶し、通信端末装置宛のホームアドレス宛で送信されたデータを気付けアドレスが示す宛先に送信するホームエージェントと、を具備し、前記モバイルアンカーポイントは、自局が属さないモバイルアンカーポイントのセルに隣接するセルのアクセルルータが通信する通信端末装置に対して前記アクセスルータのセルと隣接するセルとに有効な気付けアドレスとを発行する構成を採る。
【００１７】
この構成によれば、ＭＡＰを用いた通信において、ＭＡＰの境界に位置するセルに対しては、ＨＡに登録するためのもう１つの気付アドレスをさらに割当ることにより、設置するＭＡＰの数を増加させることなく、ＭＡＰ間のハードオーバー時の遅延を大幅に低減可能することができる。
【００１８】
本発明の通信システムは、前記モバイルアンカーポイントは、複数のセルに可変で、アクセスルータのセルと隣接するセルとに有効な気付けアドレスとを発行する構成を採る。
【００１９】
この構成によれば、もう１つの気付アドレスが有効なセルの数を変化させることにより、ＭＡＰ間のハードオーバー時の遅延の低減効果と制御の簡易さの両立を図ることができる。
【００２０】
本発明の通信システムは、前記モバイルアンカーポイントは、前記モバイルアンカーポイントの境界に位置するセルに対して割当てるもう１つの気付アドレスが有効なセルの数を可変とする構成を採る。
【００２１】
本発明の通信システムは、前記モバイルアンカーポイントは、通信端末装置の移動速度を検知し、移動速度が速い通信端末装置と通信をする場合に、移動速度が遅い通信端末装置と通信をする場合より多い数のセルにもう１つの気付けアドレスを発行する構成を採る。
【００２２】
これらの構成によれば、もう１つの気付アドレスが有効なセルの数を、端末の移動速度によって変化させることにより、ＭＡＰ間のハードオーバー時の遅延の低減効果と制御の簡易さの両立を図ることができる。
【００２３】
本発明の通信方法は、複数のアクセスルータと接続し、前記アクセスルータと通信を行う通信端末装置に気付けアドレスを発行するモバイルアンカーポイントと、前記通信端末装置と通信を行い、前記気付けアドレスを前記通信端末装置に送信するアクセスルータと、モバイルアンカーポイントとアクセルルータとを接続し、前記通信端末装置の属するホームエージェントに前記気付けアドレスを伝送するネットワークと、通信端末装置別に気付けアドレスとホームアドレスとを対応づけて記憶し、通信端末装置宛のホームアドレス宛で送信されたデータを気付けアドレスが示す宛先に送信するホームエージェントと、を具備する通信システムにおいて、自局が属さないモバイルアンカーポイントのセルに隣接するセルのアクセルルータが通信する通信端末装置に対して前記アクセスルータのセルと隣接するセルとに有効な気付けアドレスとを発行するようにした。
【００２４】
この方法によれば、ＭＡＰを用いた通信において、ＭＡＰの境界に位置するセルに対しては、ＨＡに登録するためのもう１つの気付アドレスをさらに割当ることにより、設置するＭＡＰの数を増加させることなく、ＭＡＰ間のハードオーバー時の遅延を大幅に低減可能することができる。
【００２５】
本発明の通信方法は、複数のセルに可変で、アクセスルータのセルと隣接するセルとに有効な気付けアドレスとを発行するようにした。
【００２６】
この方法によれば、もう１つの気付アドレスが有効なセルの数を変化させることにより、ＭＡＰ間のハードオーバー時の遅延の低減効果と制御の簡易さの両立を図ることができる。
【００２７】
本発明の通信方法は、前記モバイルアンカーポイントの境界に位置するセルに対して割当てるもう１つの気付アドレスが有効なセルの数を可変とするようにした。
【００２８】
本発明の通信方法は、通信端末装置の移動速度を検知し、移動速度が速い通信端末装置と通信をする場合に、移動速度が遅い通信端末装置と通信をする場合より多い数のセルにもう一つの気付けアドレスを発行するようにした。
【００２９】
これらの方法によれば、もう１つの気付アドレスが有効なセルの数を、端末の移動速度によって変化させることにより、ＭＡＰ間のハードオーバー時の遅延の低減効果と制御の簡易さの両立を図ることができる。
【発明の効果】
【００３０】
以上説明したように、本発明の通信システム及び方法によれば、通信プロトコルとしてモバイルＩＰを用い、さらにＭＡＰを用いた通信において、ＭＡＰの境界に位置するセルに対しては、Ｈｏｍｅ  Ａｇｅｎｔに登録するためのもう１つの気付アドレスをさらに割当ることによい、設置するＭＡＰの数を増加させることなく、ＭＡＰ間のハードオーバー時の遅延を大幅に低減可能することができる。
【発明を実施するための最良の形態】
【００３１】
本発明者は、従来の通信システムにおいては、ＭＡＰ間のハンドオーバー時はＭＡＰとＨＡの両方にそれぞれ気付アドレスを登録する必要があるため、ＭＡＰ間のハンドオーバー時の遅延時間が増大することと、ＭＡＰ間のハンドオーバー時の遅延時間の低減を図るため、ＭＡＰを階層的に設置した場合、設置するＭＡＰの数が非常に多く必要になることに着目し、本発明をするに至った。
【００３２】
すなわち、本発明の骨子は、通信プロトコルとしてモバイルＩＰを用い、さらにＭｏｂｉｌｉｔｙ  Ａｎｃｈｏｒ  Ｐｏｉｎｔを用いた通信において、Ｍｏｂｉｌｉｔｙ  Ａｎｃｈｏｒ  Ｐｏｉｎｔの境界に位置するセルに対しては、Ｈｏｍｅ  Ａｇｅｎｔに登録するためのもう１つの気付アドレスをさらに割当ることにより、上記問題を解決することである。
【００３３】
以下、本発明の実施の形態について図面を参照して詳細に説明する。
（実施の形態１）
本発明の実施の形態１は、通信プロトコルとしてモバイルＩＰを用い、さらにＭｏｂｉｌｉｔｙ  Ａｎｃｈｏｒ  Ｐｏｉｎｔを用いた通信において、Ｍｏｂｉｌｉｔｙ  Ａｎｃｈｏｒ  Ｐｏｉｎｔの境界に位置するセルに対しては、Ｈｏｍｅ  Ａｇｅｎｔに登録するためのもう１つの気付アドレスをさらに割当ることにより、設置するＭＡＰの数を増加させることなく、ＭＡＰ間のハードオーバー時の遅延を大幅に低減可能することを特徴としている。
【００３４】
以下、実施の形態１について説明する。図１は、本発明の実施の形態１に係る通信システムの構成を示すブロック図である。図１のシステムは、ＭＡＰ１０１と、ＭＡＰ１０２と、Ｎｅｔｗｏｒｋ１０３と、ＣＮ１０４と、Ｒｏｕｔｅｒ１０５と、ＨＡ１０６と、ＭＮ１０７と、ＡＲ１１１〜１２６とから主に構成される。
【００３５】
図１において、ＭＡＰ１０１は、ＡＲ１１１〜ＡＲ１１８にルータ広告を発行する。特に、ＭＡＰ１０１は、ＭＡＰ毎のエリアの境界に位置するセルのＡＲ１１８に対してＨＡに登録するための気付けアドレス（ＲＣＯＡ）のもととなるルータ広告を複数割り当てる。
【００３６】
同様に、ＭＡＰ１０２は、ＡＲ１１９〜ＡＲ１２６に気付けアドレスを発行する。特に、ＭＡＰ１０２は、ＭＡＰ毎のエリアの境界に位置するセルのＡＲ１１９に対してＨＡに登録するための気付けアドレス（ＲＣＯＡ）のもととなるルータ広告を複数割り当てる。
【００３７】
すなわち、Ｍｏｂｉｌｉｔｙ  Ａｎｃｈｏｒ  Ｐｏｉｎｔの境界に位置するセル（図１のＡＲ１１８とＡＲ１１９）は、２つのＨｏｍｅ  Ａｇｅｎｔに登録するための気付アドレス（ＲＣＯＡ）が割当てられる。
【００３８】
Ｎｅｔｗｏｒｋ１０３は、ＭＡＰ１０１、ＭＡＰ１０２、Ｒｏｕｔｅｒ１０５、及びＨＡ１０６と接続するネットワークである。ＣＮ１０４は、Ｎｅｔｗｏｒｋ１０３を介してＭＮ１０７と通信を行う通信相手である。Ｒｏｕｔｅｒ１０５は、受け取ったパケットのうちＣＮ１０４宛のパケットをＣＮ１０４に送信する。
【００３９】
ＨＡ１０６は、ＭＮ１０７の気付けアドレスＲＣＯＡを記憶し、ＭＮ１０７宛のパケットをこの気付けアドレスＲＣＯＡ宛に配送する。
【００４０】
ＭＮ１０７は、ＡＲ１１９〜ＡＲ１２６のうち通信相手のＡＲから送信されたルータ広告を受信し、このルータ広告から気付けアドレスＲＣＯＡとＬＣＯＡを生成する。具体的には、ＭＮ１０７は、ルータ広告ＲＡからＭＡＰ及びＡＲのＰｒｅｆｉｘを検出し、自分のＲＣＯＡとＬＣＯＡの２つの気付アドレスを生成する。そして、ＭＮ１０７は、通信相手のＡＲとこのＡＲが属するＭＡＰを介して生成した気付けアドレスＲＣＯＡとＬＣＯＡをＨＡ１０６に送信する。
【００４１】
ＡＲ１１１〜１１８は、ＭＡＰ１０１が生成したルータ広告ＲＡを通信中のＭＮ（例えばＭＮ１０７）に送信する。また、ＡＲ１１１〜１１８は、ＭＮ１０７から発行された気付けアドレスＲＣＯＡとＬＣＯＡをＭＡＰ１０１に送信する。
【００４２】
同様に、ＡＲ１１９〜１２６は、ＭＡＰ１０２が生成したルータ広告ＲＡを通信中のＭＮに送信する。また、ＡＲ１１９〜１２６は、ＭＮ１０７から発行された気付けアドレスＲＣＯＡとＬＣＯＡをＭＡＰ１０２に送信する。
【００４３】
本発明の第１実施の形態では、例えば図１に示すように、Ｍｏｂｉｌｉｔｙ  Ａｎｃｈｏｒ  Ｐｏｉｎｔの境界に位置するセル（図１のＡＲ８とＡＲ９）に対しては、Ｈｏｍｅ  Ａｇｅｎｔに登録するための気付アドレス（ＲＣＯＡ）をさらにもう１つ割当る。
【００４４】
次に、上記構成のシステムの動作について説明する。図２は、本実施の形態の通信システムの動作の一例を示すフロー図である。
【００４５】
本発明では、ＭＡＰ間のハンドオーバーを行う場合、以下の処理を行う。
【００４６】
ＳＴ２０１では、初期設定を行う。
【００４７】
ＳＴ２０２では、端末（例えば図１のＭＮ１０７）がＭＡＰの境界に位置するセル（例えば図１のＡＲ１１８のセル）に移動したかどうか判断する。ＭＡＰの境界に位置するセルに端末が移動した場合、ＳＴ２０３に処理を進める。また、ＭＡＰの境界に位置するセルに端末が移動していない場合、ＳＴ２０４に処理を進める。
【００４８】
ＳＴ２０３では、ＭＡＰ間の移動を行う前（図１のＡＲ９へ移動する前）に、前もってＨＡに登録するためのもう１つの気付アドレスＲＣＯＡをＨＡに登録しておく。ここで、このＨＡに登録するためのもう１つの気付アドレスＲＣＯＡは、ＭＡＰの境界に位置するセル（図１のＡＲ１１８とＡＲ１１９）において有効である。
【００４９】
ＳＴ２０４では、端末がＭＡＰ間を移動（図１のＡＲ８からＡＲ９へ移動）したかいなか判断する。端末がＭＡＰ間を移動した場合、ＳＴ２０５に処理を進める。また端末がＭＡＰ間を移動していない場合、ＳＴ２０６に処理を進める。
【００５０】
ＳＴ２０５では、ＭＡＰにＡＲ１１９のＬＣＯＡを登録する。ここで、すでにＨＡに登録するためのもう１つの気付アドレスＲＣＯＡをＨＡに登録済である。したがって、ＳＴ２０６において端末は、ＭＡＰにＡＲ９のＬＣＯＡを登録しさえすれば、通信可能となる。
【００５１】
ここで、ＭＡＰの境界に位置するセル（図１のＡＲ１１９）から他のセルへ移動する場合は、１つめのＨＡに登録するための気付アドレスＲＣＯＡをＨＡに登録する必要がある。しかし、ＭＡＰの境界に位置するセル（図１のＡＲ１１９）に存在している間に、上記１つめのＲＣＯＡをＨＡに登録すればよいため、遅延が増大することはない。従って、ＭＡＰ間のハンドオーバー時においても、ＭＡＰにＬＣＯＡを登録しさえすれば通信可能となるため、ＭＡＰ間のハンドオーバー時の遅延を大幅に削減できる。
【００５２】
このように本実施の形態の通信システムによれば、ＭＡＰを用いた通信において、ＭＡＰの境界に位置するセルに対しては、ＨＡに登録するためのもう１つの気付アドレスをさらに割当ることにより、設置するＭＡＰの数を増加させることなく、ＭＡＰ間のハードオーバー時の遅延を大幅に低減可能することができる。
【００５３】
なお、上記説明では、ＭＡＰの境界に位置するセルに対して割当てるもう１つの気付アドレスが有効なセルの数が、それぞれ１個ずつの場合について説明しているが、気付アドレスが有効なセルの数は、複数であってもよい。すなわち、上記２個目の気付アドレスが有効なセルの数は、任意に設定することが可能である。
【００５４】
また、上記２個目の気付アドレスをＨＡに登録する場合について説明したが、本発明はこれに限定されずに、例えば、ＭＡＰの上の階層にルータを設置して、上記２個目の気付アドレスを管理することも可能である。
【００５５】
（実施の形態２）
端末の移動速度が速い場合、上記もう１つの気付アドレスの登録が完了する前に、ＭＡＰ間を移動してしまう恐れもある。このため、ＭＡＰの境界に位置するセルに対して割当てるもう１つの気付アドレスが有効なセルの数は、多くする必要がある。しかし、上記もう１つの気付アドレスが有効なセルの数を多くすると、ＨＡが管理しておくセルの数が増大するため、制御に要する負荷が重くなるという課題がある。
【００５６】
そこで、本発明の実施の形態２では、ＭＡＰの境界に位置するセルに対して割当てるもう１つの気付アドレスが有効なセルの数は可変とすることより、ＭＡＰ間のハードオーバー時の遅延の低減効果と制御の簡易さの両立を図る。
【００５７】
図３は、本発明の実施の形態２に係る通信システムの構成を示すブロック図である。但し、図１と同一の構成となるものについては、図１と同一番号を付し、詳しい説明を省略する。
【００５８】
ＭＡＰ３０１は、ＡＲ１１１〜ＡＲ１１８にルータ広告を発行する。そして、ＭＡＰ３０１は、端末（例えばＭＮ１０７）の移動速度を検知し、移動速度に応じて１または複数のセルのＡＲに対してＨＡに登録するための気付けアドレス（ＲＣＯＡ）のもととなるルータ広告を複数割り当てる。なお、ＭＡＰ３０１は、ＭＡＰ間の境界に近いセルから順にルータ広告を複数割り当てる。また、ルータ広告を複数割り当てるセルの数は、端末の移動速度が遅い場合より端末の移動速度が速い場合に多くする。
【００５９】
同様に、ＭＡＰ３０２は、ＡＲ１１９〜ＡＲ１２６に気付けアドレスを発行する。そして、ＭＡＰ３０２は、端末（例えばＭＮ１０７）の移動速度を検知し、移動速度に応じて１または複数のセルのＡＲに対してＨＡに登録するための気付けアドレスＲＣＯＡのもととなるルータ広告を複数割り当てる。
【００６０】
例えば、２個目の気付アドレスを２種類使用し（図４に示すように上記もう１つの気付アドレスが有効なセルの数をそれぞれ１個ずつとした気付アドレスと、図６に示すように上記もう１つの気付アドレスが有効なセルの数をそれぞれ２個ずつとした気付アドレスの２種類使用する）、端末の移動速度によって割当てる上記２個目の気付アドレスを選択する。
【００６１】
すなわち、端末の移動速度が遅い場合は、図４に示すように上記もう１つの気付アドレスが有効なセルの数をそれぞれ１個ずつとした気付アドレスを割当て、端末の移動速度が速い場合は、図６に示すように上記もう１つの気付アドレスが有効なセルの数をそれぞれ２個ずつとした気付アドレスを割当てる。
【００６２】
ここで、上記２個目の気付アドレスは２種類使用する場合について示しているが、本発明はこれに限定されることなく、任意の数の２個目の気付アドレスを設定可能である。
【００６３】
このように、本実施の形態の通信システムによれば、もう１つの気付アドレスが有効なセルの数を、端末の移動速度によって変化させることにより、ＭＡＰ間のハードオーバー時の遅延の低減効果と制御の簡易さの両立を図ることができる。
【００６４】
なお、本発明は上記実施の形態に限定されず、種々変更して実施することが可能である。例えば、上記実施の形態では、通信システムとして行う場合について説明しているが、これに限られるものではなく、この通信システムをソフトウェアとして行うことも可能である。
【００６５】
例えば、上記通信方法を実行するプログラムを予めＲＯＭ（Read Only Memory）に格納しておき、そのプログラムをＣＰＵ（Central Processor Unit）によって動作させるようにしても良い。
【００６６】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【産業上の利用可能性】
【００６７】
本発明は、通信プロトコルとしてモバイルＩＰを用いる通信に用いて好適である。
【図面の簡単な説明】
【００６８】
【図１】本発明の実施の形態１に係る通信システムの構成を示すブロック図
【図２】本実施の形態の通信システムの動作の一例を示すフロー図
【図３】本発明の実施の形態２に係る通信システムの構成を示すブロック図
【図４】モバイルＩＰの概略を示す図
【図５】ＭＡＰを使用したモバイルＩＰネットワークの構成を示す図
【図６】従来のネットワークの動作の一例を示すフロー図
【符号の説明】
【００６９】
１０１、１０２、３０１、３０２  ＭＡＰ
１０３  Ｎｅｔｗｏｒｋ
１０４  ＣＮ
１０５  Ｒｏｕｔｅｒ
１０６  ＨＡ
１０７  ＭＮ
１１１〜１２６  ＡＲ
【図１】
2005167388.tif 000004
【図２】
2005167388.tif 000005
【図３】
2005167388.tif 000006
【図４】
2005167388.tif 000007
【図５】
2005167388.tif 000008
【図６】
2005167388.tif 000009